(57)【特許請求の範囲】
【請求項１】
箱状の収納ボックス本体に、その開口部を開閉する方形板状の扉が、その一側端部を軸として回動するようにして取り付けられてなる収納ボックスが複数上下および／または左右に隣接配置された扉付き収納家具において、
前記扉の一側端部以外の他側端部の側端面には、扉を開ける際の手掛り部が前記扉の表面側より裏面側の方が該扉の中央側に位置するようにして形成されており、
前記扉の他側端部の扉表面側の側端が、前記収納ボックス本体の壁の厚さ範囲内に位置しており、
前記手掛り部と、隣接する収納ボックス本体の扉の側端面との間に、奥側の方が拡がっている手を差し込むための空間が形成されていることを特徴とする扉付き収納家具。
【請求項２】
請求項１に記載の扉付き収納家具において、
前記手掛り部が扉の側端部の長さ方向全域に亙って形成されていることを特徴とする扉付き収納家具。
【請求項３】
請求項１または２に記載の扉付き収納家具において、
上段において左右に複数の収納ボックスが隣接配置されるとともに、下段において左右に複数の収納ボックスが隣接配置され、さらに、これら上段の収納ボックスと下段の収納ボックスとの間の一部に、中段の収納ボックスが上下の収納ボックスと隣接して配置されており、
前記下段の収納ボックスのうち、中段の収納ボックスが配置されていない一部の収納ボックスの天板にはテーブル板が固定されており、
このテーブル板の前端部には、内側に傾斜する傾斜面が前記下段の収納ボックスの扉の上側端面に形成された前記手掛り部と離間して形成されていることを特徴とする扉付き収納家具。
【発明の詳細な説明】
【技術分野】
【０００１】
本発明は、扉付き収納家具に関するものである。
【背景技術】
【０００２】
扉付き収納家具の一例として特許文献１に記載のものが知られている。この扉付き収納家具は、床板、側面パネル、背面パネル、屋根パネルからなる前面を開口した箱体であり前記開口部を扉で開閉するようになっている。
扉はその右側端部を、収納家具の開口周囲の戸枠に軸支し、これを軸として回動することによって箱体の開口部を開閉するようになっている。また、扉の表面左側端部には、上下にわたる把手が取り付けられており、この把手を手で把持して扉を開閉するようになっている。
【特許文献１】特開２００５−２２０５９５号公報
【発明の開示】
【発明が解決しようとする課題】
【０００３】
ところが、上記従来の扉付き収納家具では、把手が扉の表面から突出しているので、この把手に物や衣服が引っ掛かる場合があった。
また、収納家具を複数配置した場合、把手の位置が雑然となり易く外観上好ましくなく、また把手の分だけ材料費が嵩むことになる。
【０００４】
本発明は上記事情に鑑みてなされたもので、把手を取り付けることなく、扉を容易に開閉できる扉付き収納家具を提供することを課題としている。
【課題を解決するための手段】
【０００５】
上記課題を解決するために、請求項１に記載の発明は、例えば図１〜図７に示すように、箱状の収納ボックス本体２に、その開口部を開閉する方形板状の扉３が、その一側端部を軸として回動するようにして取り付けられてなる収納ボックス２が複数上下および／または左右に隣接配置された扉付き収納家具において、
前記扉３の一側端部以外の他側端部の側端面には、扉３を開ける際の手掛り部２０が前記扉３の表面側より裏面側の方が該扉の中央側に位置するようにして形成されており、
前記扉３の他側端部の扉表面側の側端３ａが、前記収納ボックス本体２の壁（例えば底板５）の厚さ範囲Ａ内に位置しており、
前記手掛り部２０と、隣接する収納ボックス本体２の扉３の側端面２０ａ（２０）との間に、奥側の方が拡がっている手を差し込むための空間２１が形成されていることを特徴とする。
【０００６】
前記手掛り部２０は、扉３の表面側より裏面側の方が該扉の中央側に位置するようにして形成されるが、これは例えば、扉３の側端面を、扉表面から扉裏面に向かうにしたがって漸次扉中央側に傾斜する傾斜面に形成すればよい。また、これ以外でも、例えば図８に示すように、扉３の側端面を扉表面側の部位を残して矩形状に切り欠くことによって形成してもよいし、図９に示すように、扉３の側端面を、扉表面から扉裏面に向かうにしたがって漸次扉中央側に近づく円弧面に形成してもよい。
【０００７】
請求項１に記載の発明によれば、扉３の他側端部の側端面に、手掛り部２０が扉３の表面側より裏面側の方が該扉の中央側に位置するようにして形成され、この手掛り部２０と、隣接する収納ボックス本体２の扉３の側端面２０ａ（２０）との間に、奥側の方が拡がっている手を差し込むための空間２１が形成されており、さらに、扉３の他側端部の扉表面側の側端３ａが、収納ボックス本体２の壁（例えば底板５）の厚さ範囲Ａ内に位置しているので、扉表面側の側端３ａより外側から前記空間２１に容易に手を差し込んで、手掛り部２０に掛けて引くことによって、扉３を開けることができる。また、扉３を閉める際は、手掛り部２０に手を掛けて扉３を閉じる方向に回転させればよい。したがって、把手を取り付けることなく、扉３を容易に開閉できる。
このように扉３に把手がないので、物や衣服が引っ掛かることがなく、また把手の分だけコストを低減でき、外観上もスッキリとしたものとなる。
【００１０】
請求項２に記載の発明は、例えば図６に示すように、請求項１に記載の扉付き収納家具において、
前記手掛り部２０が扉３の側端部の長さ方向全域に亙って形成されていることを特徴とする。
【００１１】
請求項２に記載の発明によれば、扉３の側端部の長手方向のどの位置でも手掛り部２０に手を引っ掛けて扉３を開けることができるので、例えば図１および図２に示すように、複数の収納ボックス１が上下に隣接配置されている場合に、上方や下方に位置する収納ボックス１の扉３を容易に開閉できる。
【００１４】
請求項３に記載の発明は、例えば図１０および図１１に示すように、請求項１または２に記載の扉付き収納家具において、
上段において左右に複数の収納ボックス１が隣接配置されるとともに、下段において左右に複数の収納ボックス１が隣接配置され、さらに、これら上段の収納ボックス１と下段の収納ボックス１との間の一部に、中段の収納ボックス１が上下の収納ボックス１と隣接して配置されており、
前記下段の収納ボックス１のうち、中段の収納ボックス１が配置されていない一部の収納ボックス１の天板４にはテーブル板２５が固定されており、
このテーブル板２５の前端部には、内側に傾斜する傾斜面２５ａが前記下段の収納ボックス１の扉３の上側端面に形成された前記手掛り部２０と離間して形成されていることを特徴とする。
【００１５】
請求項３に記載の発明によれば、テーブル板２５に形成された傾斜面２５ａと、扉上側端面の間が離間しているので、この離間した部位から手を差し込んで、下段の収納ボックス１の手掛り部２０に引っ掛けて扉３を容易に開くことができる。
【発明の効果】
【００１６】
本発明によれば、扉の他側端部の側端面に、手掛り部が扉の表面側より裏面側の方が該扉の中央側に位置するようにして形成され、この手掛り部と、隣接する収納ボックス本体の扉の側端面との間に、奥側の方が拡がっている手を差し込むための空間が形成されており、さらに、扉の他側端部の扉表面側の側端が、前収納ボックス本体の壁の厚さ範囲内に位置しているので、扉表面側の側端より外側から前記空間に容易に手を差し込んで、手掛り部に掛けて引くことによって、扉を開けることができる。また、扉を閉める際は、手掛り部に手を掛けて扉を閉じる方向に回転させればよい。したがって、把手を取り付けることなく、扉を容易に開閉できる。
【発明を実施するための最良の形態】
【００１７】
以下、図面を参照して本発明の実施の形態について説明する。
（第１の実施の形態）
図１は本実施の形態に係る扉付き収納家具の断面図、図２は同斜視図である。これらの図に示すように、扉付き収納家具は、箱状の収納ボックス１を複数（例えば６個）備えている。これら収納ボックス１は、上下および左右に隣接配置されている。具体的には上下に３個、左右に２個ずつ隣接配置されている。
【００１８】
収納ボックス１は、箱状の収納ボックス本体２に、その開口部を開閉する方形板状の扉３，３が、その一側端部を軸として回動するようにして取り付けられてなるものである。
収納ボックス本体２は、図３に示すように、天板４および底板５と、これら天板４および底板５を連結する左右の側板６，６とを備えており、収納ボックス本体２の背面側には、左右の側板６，６を連結する水平連結材７，８が上下に離間して設けられている。
上側の水平連結材７の下面には傾斜面７ａが形成されている。この傾斜面７ａは、収納ボックス本体２の内側に向かうにしたがって漸次上方に傾斜している。なお、水平連結材７，８はその端部が側板６，６にダボ９によって接合されている。また、収納ボックス本体２の背面側には背板１０が水平連結材７，８より前方位置に設けられており、この背板１０の上端部は天板４に形成された溝にはめ込まれ、下端部は底板５に形成された溝にはめ込まれている。また、背板１０は水平連結材７，８に当接されたうえで接着剤等によって接合されている。
扉３は長方形板状に形成されており、その一側端部を軸として回動するようになっている。例えば図２に示すように、側板６と扉３とにはそれぞれ上下端部に蝶番１１，１１が取り付けられており、これら蝶番１１，１１によって回動して開閉するようになっている。
【００１９】
上記構成の６個の収納ボックス１はそれぞれ上下左右に隣接した状態で壁１２に支持されている、なお、下段の収納ボックス１は床１３にも設置されている。
壁１２には、受け材１４が上下に所定間隔で３本固定されている。この所定間隔は収納ボックス１の上下の高さと等しく設定する。
受け材１４は左右に長尺な帯板状のものであり、その左右の長さは６個の収納ボックス１で構成された扉付き収納家具の幅とほぼ等しくなっている。
【００２０】
受け材１４の上面には傾斜面１４ａが形成されている。この傾斜面１４ａは、壁１２から離間するにしたがって漸次上方に傾斜している。この傾斜面１４ａと前記水平連結材７の下面の傾斜面７ａとは等しく傾斜している。
そして、水平連結材７の傾斜面７ａを、受け材１４の傾斜面１４ａに上方から当接して係合することによって、収納ボックス１が壁１２に支持されている。このように、傾斜面７ａを傾斜面１４ａに上方から係合すると、水平連結材７は壁１２に引き付けられたうえで該壁１２に当接し、同時に水平連結材８も壁１２に当接する。したがって、収納ボックス１は、その背面の上下端部にある水平連結材７，８を介して安定的に壁１２に支持される。
【００２１】
上記のように収納ボックス１を壁１２に支持させるには、まず図４（ａ）に示すように、壁１２に上下に所定間隔で受け材１４を釘１５によって固定する。
次に、図４（ｂ）に示すように、収納ボックス１を上下左右に隣接配置するとともに、該収納ボックス１の背面側の水平連結材７の傾斜面７ａを、受け材１４の傾斜面１４ａに上方から当接して係合する。これによって、上下左右に隣接する収納ボックス１は受け材１４によって支持されるとともに、上下の水平連結材７，８が壁１２に当接する。
【００２２】
次に、左右に隣接する収納ボックス１，１どうしをビスによって連結するとともに、上下に隣接する収納ボックス１，１どうしをビスによって連結する。これによって、上下左右に隣接する６個の収納ボックス１は一体化されて扉付き収納家具となる。
その後、それぞれの収納ボックス１の背板１０から水平連結材７，８を通して壁１２に釘１６を打ち込むことによって、扉付き収納家具を壁１２に強固に固定する。
【００２３】
次に、図４（ｃ）に示すように、上段の収納ボックス１の天板４と天井１７との間に幕板１８を取り付ける。この場合、上段の収納ボックス１の天板４に予め固定桟１９を固定しておき、天井１７に固定桟１９と対向して補強材１７ａを固定し、これら固定桟１９と補強材１７ａに幕板１８を取り付ける。
【００２４】
前記収納ボックス１の扉３は以下のように構成されている。
すなわち、図５および図６に示すように、扉３の一側端部（左側端部）以外の他の３つの他側端部の側端面には、手掛り部２０が形成されている。この手掛り部２０は扉３を開ける際に、手が掛けられる部分であり、傾斜面で形成されている。この傾斜面で形成された手掛り部２０は、扉３の表面側より裏面側の方が該扉３の中央側に位置するようにして形成されている。つまり、手掛り部２０は、扉３の表面から裏面に向かうにしたがって漸次扉３の中央側に傾斜するようにして形成されている。
また、手掛り部２０は扉３の上下に沿う左側端部の長さ方向全域に亙り、さらに、扉３の左右に沿う上下側端部の長さ方向に全域に亙って形成されている。
【００２５】
また、扉の下側端部に対向する収納ボックス本体２の壁、すなわち底板５の厚さは、他の壁（天板４や側板６）より厚くなっている。例えば、底板５の厚さは天板４の２倍の厚さとなっている。さらに、扉３の下側端部の扉表面側の側端３ａは、収納ボックス本体２の壁の厚さ、つまり底板５の厚さの範囲Ａ内に位置している。なお、この側端３ａは扉３の表面と側端面との交差部を面取りすることによって、扉３の厚さ方向と平行な細面となっている。また、扉３の上側端部の扉表面側の側端３ａは収納ボックス本体２の壁表面、つまり天板４の上面と等しい位置に位置している。さらに、扉３の側端部の扉表面側の側端３ａは収納ボックス本体２の壁表面、つまり側板６の表面と等しい位置に位置している。
【００２６】
前記手掛り部２０と、隣接する収納ボックス本体２０の扉３の側端面（前記手掛り部２０と同様に傾斜面となっている。）２０ａとの間には、奥側の方が拡がった空間２１が形成されている。この空間２１は手を差し込むためのものである。なお、隣接する収納ボックス本体２０の扉３の側端面２０ａは、例えば図１に示すように、下段の収納ボックス１の上側端部の傾斜面２０ａが手掛り部２０として機能する。また、中段の収納ボックス１の上側端部の傾斜面２０ａは、下側端部の手掛り部２０以外の手掛り部２０として機能する。つまり、中段の収納ボックス１では、扉３の上下側端部の傾斜面両方が手掛り部２０として機能する。
【００２７】
このように、扉３の下側端部の側端面に、手掛り部２０が扉３の表面側より裏面側の方が該扉の中央側に位置するようにして傾斜して形成され、この手掛り部２０と、隣接する収納ボックス本体２の扉の側端面２０ａとの間に、奥側の方が拡がっている手を差し込むための空間２１が形成されており、さらに、扉２０の下側端部の扉表面側の側端３ａが、収納ボックス本体２の底板５の厚さ範囲内に位置しているので、扉表面側の側端３ａより外側（下側）から前記空間２１に容易に手を差し込んで、手掛り部２０に掛けて引くことによって、扉３を開けることができる。また、扉３を閉める際は、手掛り部２０に手を掛けて扉３を閉じる方向に回転させればよい。したがって、把手を取り付けることなく、扉３を容易に開閉できる。
このように扉３に把手がないので、物や衣服が引っ掛かることがなく、また把手の分だけコストを低減でき、外観上もスッキリとしたものとなる。
【００２８】
また、扉３の下側端部に対向する収納ボックス本体２の底板５の厚さが、天板４や側板６より厚くなっているので、収納ボックス本体２の底板３の底面と、扉３の側端３ａとの間に多きな隙間Ｓができるので、この隙間Ｓから前記空間２１に手を差込み易くなる。
さらに、手掛り部２０が扉３の側端部の長さ方向全域に亙って形成されているので、扉３の側端部の長手方向のどの位置でも手掛り部２０に手を引っ掛けて扉３を開けることができるので、複数の収納ボックス１が上下に隣接配置されている場合に、上方や下方に位置する収納ボックス１の扉３を容易に開閉できる。
【００２９】
加えて、手掛り部２０が、扉３の三辺の側端部にそれぞれ形成されているので、扉３の三辺の側端部の長手方向のどの位置でも手掛り部２０に手を引っ掛けて扉３を開けることができるので、図７等に示すように、収納ボックス１が複数上下左右に隣接配置されており、扉３の開閉方向が様々な場合でも、収納ボックス１の扉３を容易に開閉できる。なお、図７においては収納ボックス１にはそれぞれ扉３を１枚設けたが、図２に示すように、収納ボックス１に扉３を２枚設けてもよい。
【００３０】
なお、本実施の形態では、上下に隣接する収納ボックス１，１の境界部に、手を差し込む空間２１を形成しているが、左右に隣接する収納ボックス１，１の境界部に、手を差し込む空間２１を形成してもよい。この場合、一方の収納ボックス１の側板６の厚さを、他方の収納ボックス１の側板１より厚くし、この厚さの範囲内に扉１の側端を位置させればよい。
【００３１】
また、本実施の形態では、扉３の手掛り部２０は、扉３の表面から裏面に向かうにしたがって漸次扉３の中央側に傾斜するようにして形成されているが、手掛り部２０の形状はこれに限ることはない。例えば、図８に示すように、扉３の側端面を扉表面側の部位を残して矩形状に切り欠くことによって形成してもよいし、扉３の側端面を、扉表面から扉裏面に向かうにしたがって漸次扉中央側に近づく円弧面に形成してもよい。
【００３２】
（第２の実施の形態）
図１０は本実施の形態に係る扉付き収納家具の断面図、図１１は同斜視図である。
これらの図に示す収納ボックス１およびその壁１２への固定方法は、第１の実施の形態と同様であるので、同一構成要素分には同一符号を付してその説明を省略する。
以下に本実施の形態について、第１の実施の形態と異なる点を説明する。図１０および図１１に示すように、本実施の形態では、上段において２つの収納ボックス１，１が左右に隣接配置されるとともに、下段において２つの収納ボックス１，１が隣接配置されている。
また、上段の収納ボックス１，１と下段の収納ボックス１，１との間の一部、すなわち右側部には中段の収納ボックス１が上下段の収納ボックス１，１と隣接して配置されている。
したがって、本実施の形態の扉付き収納家具は正面視において略コ字状に形成されている。
【００３３】
下段の収納ボックス１，１のうち、中段の収納ボックス１が配置されていない一部の収納ボックス１つまり下段左側の収納ボックス１の天板４にはテーブル板２５がビス２６によって固定されている。
このテーブル板２５は天板４とほぼ等しい大きさの板であり、このテーブル板２５の前端部には、内側に傾斜する傾斜面２５ａが下段の収納ボックス１の扉３の上側端面に形成された手掛り部２０と離間して形成されている。
【００３４】
したがって、本実施の形態では、テーブル板２５に形成された傾斜面２５ａと、扉３の上側端面３ａとの間が離間しているので、この離間した部位から手を差し込んで、下段の収納ボックス１の手掛り部２０に引っ掛けて扉３を容易に開くことができる。
【００３５】
なお、本実施の形態では、扉付き収納家具を正面視コ字状に形成したものを例にとって説明したが、図１２に示すように、正面視ロ字状に形成された扉付き収納家具に適用してもよい。
すなわち、上段には扉３が２枚ある収納ボックス１と、これを挟んで扉３が１枚ある収納ボックス１ａ，１ａが配置され、下段には上段と同様に、上段には扉３が２枚ある収納ボックス１と、これを挟んで扉３が１枚ある収納ボックス１ａ，１ａが配置されている。
【００３６】
また、中段には、左右両側に離間して収納ボックス１ａ，１ａが上下の収納ボックス１ａ，１ａと隣接配置されている。
さらに、下段中央の収納ボックス１の天板４にはテーブル板２５が固定されており、
このテーブル板２５の前端部には、内側に傾斜する傾斜面２５ａが下段中央の収納ボックス１の扉３の上側端面に形成された手掛り部２０と離間して形成されている。
したがって、テーブル板２５に形成された傾斜面２５ａと、扉３の上側端面３ａとの間の離間した部位から手を差し込んで、下段中央の収納ボックス１の手掛り部２０に引っ掛けて扉３を容易に開くことができる。
【図面の簡単な説明】
【００３７】
【図１】本発明に係る扉付き収納家具の一例を示すもので、その側断面図である。
【図２】同、斜視図である。
【図３】同、収納ボックスを示すもので（ａ）は斜視図、（ｂ）は平断面図である。
【図４】同、収納ボックスを壁に固定する工程を説明する側断面図である。
【図５】同、収納ボックスの扉の要部を示す側断面図である。
【図６】同、扉の斜視図である。
【図７】同、扉の開閉方向が異なる収納家具を示す斜視図である。
【図８】同、扉の変形例を示す要部の側断面図である。
【図９】同、扉の他の変形例を示す要部の側断面図である。
【図１０】本発明に係る扉付き収納家具の他の例を示すもので、その側断面図である。
【図１１】同、斜視図である。
【図１２】同、収納家具の変形例を示す斜視図である。
【符号の説明】
【００３８】
１  収納ボックス
２  収納ボックス本体
３  扉
３ａ  側端
４  天板
５  底板
６  側版
２０  手掛り部
２１  空間
２５  テーブル板
２５ａ  傾斜面
【図１】
0004822835.tif 000002
【図２】
0004822835.tif 000003
【図３】
0004822835.tif 000004
【図４】
0004822835.tif 000005
【図５】
0004822835.tif 000006
【図６】
0004822835.tif 000007
【図７】
0004822835.tif 000008
【図８】
0004822835.tif 000009
【図９】
0004822835.tif 000010
【図１０】
0004822835.tif 000011
【図１１】
0004822835.tif 000012
【図１２】
0004822835.tif 000013